(57)【要約】【課題】            メッシュ状薬剤保持繊維と、他の薬剤保持繊維との配置に基づき、薬剤保持機能を有するだけではなく、薬剤揮散効果を向上し得るような薬剤保持体を提供すること。【解決手段】        ファンによる風力及び／又は回転に伴う遠心力に基づいて、揮散させる薬剤を保持し得る薬剤保持体１であって、、上下両側面に、二次元方向に規則的に配列されているメッシュ状薬剤保持繊維２を配置すると共に、各メッシュの単位を形成している上下両側のメッシュ状薬剤保持繊維２との間において、曲げ弾性を有することによって、上下両側のメッシュ状薬剤保持繊維２を所定の間隔を以って支持し、かつ連結している支持連結用薬剤保持繊維３を複数本配置したことに基づき、前記課題を達成することができる薬剤保持体１。【選択図】          図１
2006081428.tif 000002
【特許請求の範囲】
【請求項１】
ファンによる風力及び／又は回転に伴う遠心力に基づいて、揮散させる薬剤を保持し得る薬剤保持体であって、上下両側面に、二次元方向に規則的なメッシュ形状の薬剤保持繊維（以下「メッシュ状薬剤保持繊維」と略称する。）を配置すると共に、各メッシュの単位を形成している上下両側のメッシュ状薬剤保持繊維との間において、曲げ弾性を有することによって、上下両側のメッシュ状薬剤保持繊維を所定の間隔を以って支持し、かつ連結している薬剤保持繊維（以下「支持連結用薬剤保持繊維」と略称する。）を複数本配置したことによる薬剤保持体。
【請求項２】
メッシュ状薬剤保持繊維が撚糸状態であることを特徴とする請求項１記載の薬剤保持体。
【請求項３】
支持連結用薬剤保持繊維が、上下方向に略並行に配列されることによって柱構造を形成していることを特徴とする請求項１、２記載の薬剤保持体。
【請求項４】
支持連結用薬剤保持繊維が、上下両側において対応しているメッシュの単位の反対側の辺を連結するように配列されることによって筋違構造を形成していることを特徴とする請求項１、２記載の薬剤保持体。
【請求項５】
上下両側のメッシュ状薬剤保持繊維間に、当該メッシュよりも小さな隙間を有し、かつ両側のメッシュ状薬剤保持繊維と接続している小隙間薬剤保持繊維を配置していることを特徴とする請求項１記載の薬剤保持体。
【請求項６】
上下両側面に配置されたメッシュ状薬剤保持繊維とその間に配置された支持連結用薬剤保持繊維による薬剤保持体を複数枚重畳したことを特徴とする請求項１記載の薬剤保持体。
【請求項７】
両側のメッシュ状薬剤保持繊維間の距離が１．０ｍｍ〜１０．０ｍｍであることを特徴とする請求項３記載の薬剤保持体。
【請求項８】
回転中心位置に軸受を有し、かつ外側周囲を複数個の保持枠によって囲んだ状態にある保護ケースによって支持された状態にある請求項１記載の薬剤保持体。
【発明の詳細な説明】
【技術分野】
【０００１】
本発明は、ファンによる風力及び／又は回転に伴う遠心力に基づいて、揮散させる薬剤を保持し得る薬剤保持体に関するものである。
【背景技術】
【０００２】
本出願人の出願である特開２００１−２４７４０６号公報においては、モーターによる遠心力とファンによる風力によって揮散する薬剤を含浸している粒状の含浸体を収納しているカートリッジの構成を開示しているが、当該構成に基づく方法は、揮散性能や害虫防除効果に高い有用性を示すが、薬剤含浸体を収納するカートリッジを必要とし、特に洋服タンスやクローゼットなどの衣料防虫用途として構造がシンプルとは言えないという難点があった。
【０００３】
このような状態を考慮し、出願人は、回転に際し、通気が可能である空隙を有している板状体に薬剤を含浸させ、単数又は複数の当該板状体によって形成された回転体に対する回転駆動装置を設けたことによる薬剤揮散装置による構成を先願として既に御庁に出願している（特願２００３−１０２３６９号出願、及び当該出願を基礎とする特許法第４１条第１項の優先主張に基づく特願２００４−０９５４７９号出願）。
【０００４】
上記先願発明において、薬剤を保持している板状体は、特開２００１−２４７４０６号発明におけるカートリッジよりも、簡単な構成であり、かつ簡便な使用ができるという点において優れているが、薬剤保持機能を配慮するような構成は、特に採用されている訳ではない。
【０００５】
他方、ファンの風力によって揮散される薬剤を保持するための薬剤保持体として、例えば、特開２００１−２００２３９号公報においては、撚糸からなるネットを複数枚重畳したことによる薬剤保持体の構成が開示されており、一枚のネットによる構成よりも薬剤の保持量、及び揮散量において優れていることが記載されている。
【０００６】
しかしながら、前記構成においても、精々薬剤の保持量、及び揮散量によってネットの枚数に比例した効果が得られているだけであって、ネットによる薬剤保持繊維と、他の薬剤保持繊維との間によって形成される積層構成に基づき、特に薬剤揮散機能を向上させるような基本的技術思想が開示されている訳ではない。
【特許文献１】特開２００１−２００２３９号公報
【特許文献２】特開２００１−２４７４０６号公報
【特許文献３】特開２００４−２４１６１号公報
【発明の開示】
【発明が解決しようとする課題】
【０００７】
本発明は、ファンによる風力及び／又は回転に伴う遠心力に基づいて、揮散させる薬剤を保持し得る薬剤保持体であって、薬剤を保持している各繊維の協働によって、薬剤保持機能だけでなく、薬剤揮散効果を向上し得るような薬剤保持体の構成を提供することを課題としている。
【課題を解決するための手段】
【０００８】
上記課題を解決するため、本発明の基本構成は、
（１）ファンによる風力及び／又は回転に伴う遠心力に基づいて、揮散させる薬剤を保持し得る薬剤保持体であって、上下両側面に二次元方向に規則的なメッシュ形状の薬剤保持繊維（以下「メッシュ状薬剤保持繊維」と略称する。）を配置すると共に、各メッシュの単位を形成している上下両側のメッシュ状薬剤保持繊維との間において、曲げ弾性を有することによって、上下両側のメッシュ状薬剤保持繊維を所定の間隔を以って支持し、各メッシュの単位を形成している上下両側のメッシュ状薬剤保持繊維を所定の間隔を以って支持し、かつ連結している薬剤保持繊維（以下「支持連結用薬剤保持繊維」と略称する。）を複数本配置したことによる薬剤保持体、
（２）メッシュ状薬剤保持繊維が撚糸状態であることを特徴とする前記（１）記載の薬剤保持体、
（３）支持連結用薬剤保持繊維が、上下方向に略並行に配列されることによって柱構造を形成していることを特徴とする前記（１）、（２）記載の薬剤保持体、
（４）支持連結用薬剤保持繊維が、上下両側において対応しているメッシュの単位の反対側の辺を連結するように配列されることによって筋違構造を形成していることを特徴とする前記（１）、（２）記載の薬剤保持体、
（５）上下両側のメッシュ状薬剤保持繊維間に、当該メッシュよりも小さな隙間を有し、かつ両側のメッシュ状薬剤保持繊維と接続している小隙間薬剤保持繊維を配置していることを特徴とする前記（１）記載の薬剤保持体、
（６）上下両側面に配置されたメッシュ状薬剤保持繊維とその間に配置された支持連結用薬剤保持繊維による薬剤保持体を複数枚重畳したことを特徴とする前記（１）記載の薬剤保持体、
（７）両側のメッシュ状薬剤保持繊維間の距離が１．０ｍｍ〜１０．０ｍｍであることを特徴とする前記（３）記載の薬剤保持体、
（８）回転中心位置に軸受を有し、かつ外側周囲を複数個の保持枠によって囲んだ状態にある保護ケースによって支持された状態にある前記（１）記載の薬剤保持体、
からなる。
【発明の効果】
【０００９】
本発明による薬剤保持体においては、メッシュ状薬剤保持繊維と、他の薬剤保持繊維との配置に基づき、薬剤保持機能を有するだけではなく、薬剤揮散効果を向上し得ることによって、極めて有用であり、しかも、構造がシンプルであるため、製造コストにおいても、極めて有利である。
【発明を実施するための最良の形態】
【００１０】
本発明においては、図１（ａ）、（ｂ）、（ｃ）に示すように、ファンによる風力及び／又は回転に伴う遠心力に基づいて、揮散させる薬剤を保持し得る薬剤保持体１として
上下両側に配置されているメッシュ状薬剤保持繊維２＋上下両側の間に配置されている支持連結用薬剤保持繊維３
を基本構成としている。
【００１１】
図１（ａ）、（ｃ）においては、メッシュ状薬剤保持繊維２のメッシュ形状として、六角形の場合を示しているが、当該メッシュ形状は、矩形、三角形など他の形状をも採用し得るのは、当然である。
図１（ａ）、（ｂ）、（ｃ）では、上下両側のメッシュの単位が水平方向において略同一位置を形成し、かつ上下両側のメッシュの単位が同一形状である場合を示しているが、本発明の実施形態においては、そのような場合だけでなく、上下両側のメッシュの単位が水平方向に所定幅を以って偏差した状態にて（ずれた状態にて）配列される場合、及び上下両側のメッシュの単位形状が相互に相違している場合（例えば、一方のメッシュの単位形状が六角形状であるのに対し、他方のメッシュの形状が矩形である場合、及び同一形状であっても、例えば、上側のメッシュの単位形状よりも、下側のメッシュの単位形状の方が小さな場合）をも包摂している。
尚、前記のように、上下両側のメッシュの単位形状が相違している場合の実施形態は、図２（ａ）、（ｂ）、（ｃ）に示すとおりである。
【００１２】
図１（ｂ）においては、支持連結用薬剤保持繊維３として、上下方向の繊維、及び当該上下方向と斜交する繊維をそれぞれ採用しているが、支持連結用薬剤保持繊維３の支持連結形状は、このような形態に限定される訳ではなく、要するに、各メッシュの単位を形成している上下両側のメッシュ状薬剤保持繊維２を、複数本の状態にて、曲げ弾性を以って支持し、かつ連結するのであれば、如何なる方向による形態であっても良い（尚、典型的な実施形態は、図３、図４に即して後述するとおりである。）。
【００１３】
本発明の薬剤保持体１は、メッシュ状薬剤保持繊維と、他の薬剤保持繊維との配置に基づき、薬剤保持機能を有するだけではなく、薬剤揮散効果を向上し得る。この両効果は、薬剤保持体１が静置タイプのファン式薬剤揮散装置であっても得られるが、薬剤保持体１を回転による遠心力を伴うタイプでは一層顕著となる。
【００１４】
本発明のメッシュ状薬剤保持繊維２においては、ファンによって生じた風又は回転によって生じた風と衝突する側と反対方向の側（風が通過していく側）の領域には、風の通過に伴って、負圧の発生を伴う乱流が生じており、当該負圧の発生に伴って、図９に示すように、支持連結用薬剤保持繊維３の隙間領域から横方向並びに上下両側のメッシュ状薬剤保持繊維２の側に向かう気流が発生し、支持連結用薬剤保持繊維３において、毛細管現象に基づいて保持されている薬剤がメッシュ状薬剤保持繊維２側に移動することによって、揮散効果が助長され、かつ回転に基づく遠心力による揮散効果に付加されるものと考えられる（前記の負圧の発生、及び気流の発生以外に良好な揮散効果の根拠を想定することができない。）。
【００１５】
このような揮散効果は、例えば、後述する実験例２の〔表１〕に示すように、単にメッシュ状薬剤保持繊維２のみ、又は２枚の重畳によるメッシュ状薬剤保持繊維２を回転させた場合の揮散効果よりも、前記結合構成のほうが、揮散効果が大幅に良好であることによって確認されるが、前記乱流の発生及び負圧の具体的なメカニズムについては、完全に解明されている訳ではない。
【００１６】
二次元方向のメッシュ状薬剤保持繊維２において、良好な保持機能を有するためには、当該繊維を前記（２）記載のように撚糸状態とし、しかも撚糸を構成する糸の数を大きくすることによって、毛細管現象に基づき、薬剤の保持を可能とするような隙間を形成するとよい。
【００１７】
前記メッシュ状薬剤保持繊維２、及び支持連結用薬剤保持繊維３を構成する素材としては、薬剤の安定性に影響のないもので、揮散が一定で持続性が良好なものが好ましく、例えば、天然繊維の木綿、麻、羊毛、絹等、またレーヨン等の半合成繊維、合成繊維のポリエステル、ナイロン、アクリル、ビニロン、ポリエチレン、ポリプロピレン、アラミド、ポリエチレンナフタレート、ポリフェニレンサルファイド等、無機繊維のガラス繊維、カーボン繊維、セラミック繊維等が使用可能である。
【００１８】
支持連結用薬剤保持繊維３は、各メッシュ形状の構成単位にてメッシュ状薬剤保持繊維２と結合していることから、水平方向において、微細な隙間を構成しており、当該隙間において毛細管現象に基づいて薬剤を保持する機能を有している。
したがって、支持連結用薬剤保持繊維３間の隙間は、前記毛細管現象による保持機能が生ずる程度であることを必要としている。
【００１９】
支持連結用薬剤保持繊維３の典型例としては、前記（３）に記載し、かつ図３に示すように、支持連結用薬剤保持繊維３が、上下方向に略並行に配列され、柱構造を形成していることによる実施形態、
更には、前記（４）に記載し、かつ図４に示すように、支持連結用薬剤保持繊維３が、上下両側において対応しているメッシュの単位の反対側の辺を連結するように配列されることによる実施形態を挙げることができる（尚、図３、図４においては、上下両側の各メッシュ形状が同一であり、かつ同一位置に配置されていることから、図１、図２の各（ｃ）のような下側の平面図を省略した。）。
【００２０】
前記（３）の実施形態は、製造工程が簡便であるという長所を有しており、前記（４）の実施形態は、筋違構造に基づいて、上下両側のメッシュ状薬剤保持繊維２と、その間の支持連結用薬剤保持繊維３とが、強固に結合することができるという長所を有している。
【００２１】
支持連結用薬剤保持繊維３の実施形態は、前記（３）、（４）の場合だけでなく、例えば、上下方向ランダムな配列による実施形態もまた、採用可能である。
【００２２】
図３及び図４に示すように、本発明の薬剤保持体１においては、メッシュ状薬剤保持繊維２＋支持連結用薬剤保持繊維３のみにて形成することが可能であるが、このような実施形態以外に、前記（５）に記載し、かつ図５に示すように、上下両側のメッシュ状薬剤保持繊維２間に、当該メッシュよりも小さな隙間を有し、かつ両側のメッシュ状薬剤保持繊維２と接続している小隙間薬剤保持繊維５を配置していることによる実施形態も採用することができる。
【００２３】
前記（５）の実施形態においては、薬剤保持機能を増大させることが可能となるが、当該実施形態においては、小隙間薬剤保持繊維５の隙間を介して、上下両側のメッシュ状薬剤保持繊維２の側に空気が移動し、揮散効果が発揮されることになる。
【００２４】
本発明においては、上下両側に配置されているメッシュ状薬剤保持繊維２＋上下両側の間に配置されている支持連結用薬剤保持繊維３による構成単位をベースとして、薬剤保持体１が形成されているが、図１に示すように、前記の構成単位を単位数の状態にて採用する実施形態だけでなく、前記（６）に記載するように、上下両側面に配置されたメッシュ状薬剤保持繊維２とその間に配置された支持連結用薬剤保持繊維３による薬剤保持体１を複数枚重畳したことによる実施形態も採用することができる。
【００２５】
前記（６）記載の実施形態においては、積層構成に基づいて、十分な薬剤保持機能を発揮することが可能となる。
【００２６】
上下両側に配置されているメッシュ状薬剤保持繊維２＋上下両側の間に配置されている支持連結用薬剤保持繊維３による構成単位の上下幅は、メッシュ状薬剤保持繊維２の各単位の面積、及び支持連結用薬剤保持繊維３の水平方向における密度によって左右され、各単位のメッシュ形状の面積が大きく、かつ支持連結用薬剤保持繊維３の密度が小さい程、距離を大きく設定することになるが、通常１．０〜１０．０ｍｍの範囲内に設定することが多い。
【００２７】
薬剤保持体１の形状は特に限定されず、円盤状、ドーナツ状、歯車状、扇風機状など、目的に応じて適宜決定すればよい。本発明は小型の薬剤揮散装置に適用される薬剤保持体１を意図しているため、例えば、円盤状であれば、外径３〜５ｃｍ程度による規格が使用上便宜である。
【００２８】
本発明で用いる薬剤としては、揮散性を有する殺虫剤、殺ダニ剤、忌避剤、芳香剤、消臭剤などがあげられる。
【００２９】
殺虫剤のなかでは、常温揮散性ピレスロイド系薬剤が好適で、このような薬剤としては、一般式（Ｉ）
【化１】
2006081428.tif 000003
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物を例示することができる。
【００３０】
一般式（Ｉ）で表される化合物の具体例としては、例えば、２，３，５，６−テトラフルオロベンジル−２，２−ジメチル−３−（２，２−ジクロロビニル）シクロプロパンカルボキシレート（以後、化合物Ａと称す）、４−メチル−２，３，５，６−テトラフルオロベンジル−２，２−ジメチル−３−（１−プロペニル）シクロプロパンカルボキシレート（以後、化合物Ｂと称す）、４−メトキシメチル−２，３，５，６−テトラフルオロベンジル−２，２−ジメチル−３−（１−プロペニル）シクロプロパンカルボキシレート（以後、化合物Cと称す）、４−プロパルギル−２，３，５，６−テトラフルオロベンジル−２，２，３，３−テトラメチルシクロプロパンカルボキシレート（以後、化合物Ｄと称す）などがあげられるが、これらに限定されるものではない。一般式（Ｉ）で表される化合物は一種類を使用してもよいし、又は二種類以上の化合物を組み合わせて使用してもよい。尚、一般式（Ｉ）で表される化合物には、その不斉炭素や二重結合に基づく光学異性体や幾何異性体が存在するが、これらの各々やそれらの任意の混合物の使用も本発明に含まれるのは勿論である。
【００３１】
薬剤保持体１において保持する薬剤量は、薬剤の種類、有効期間、及び薬剤保持体１の大きさ等にもよるが、例えば前記段落〔００３０〕に記載されている常温揮散性ピレスロイド系薬剤の場合には、２０〜４００ｍｇ程度に設定するのが適当である。
【００３２】
薬剤を保持させるに際しては、必要に応じ溶剤、希釈剤、界面活性剤、分散剤、徐放化剤などを用い、また従来から知られている各種手段を採用することができる。更に薬剤に安定剤、香料、着色剤、帯電防止剤などを適宜配合することも可能である。
【００３３】
回転駆動装置としては、通常交流電源又は直流電源に基づくモーターを採用し、回転速度としては、５００〜２０００ｒｐｍとすると良い。
【００３４】
前記回転速度の範囲を採用する根拠としては、５００ｒｐｍ未満の場合には、薬剤の揮散性能が劣化し、他方、２０００ｒｐｍを超えると、例えば電池の消耗が激しいといった不都合を挙げることができる。
【００３５】
以下、実施例に従って説明する。
【実施例１】
【００３６】
実施例１は、薬剤保持体１を回転させ、遠心力によって薬剤を揮散させる薬剤揮散装置に採用した場合を示しており、特に図６に示すように、薬剤保持体１の上下両側面をそれぞれ上側部分及び下側部分によって囲んだ状態にて支持し、外側周囲を複数個の保持枠４１によって囲み、かつ中心位置において、回転駆動装置の回転軸と嵌合し得る保護ケース４によって薬剤保持体１を収納した状態にて回転させている。
【００３７】
即ち実施例１においては、薬剤保持体１が、保護ケース４によって上下両側及び周囲から囲まれた状態にて収納され、かつ保護ケース４が、回転駆動装置の回転軸と嵌合することから、回転時には、保護ケース４と薬剤保持体１とは、一体となって回転することになる。
【００３８】
保護ケース４を採用することは、薬剤保持体１が変形し易い形状であって、単独では、回転駆動装置の回転軸の支持によって、安定した回転が得られない場合に好都合であると共に、薬剤に手指が触れるのを防止するという機能を発揮することができる。
【００３９】
保持枠４１の形状や数は特に限定されている訳ではないが、設計上の便宜をも考慮し、例えば上下両側には板状、また周囲には断面が丸形、三角形又は四角形状のものを複数個設けるのが適当である。
【００４０】
薬剤保持体１を保護ケース４に収納するにあたっては、薬剤を保持させた後収納することも当然可能であるが、薬剤保持前の薬剤保持体１を保護ケース４に入れ蓋部材を外した状態で薬剤を分注し、蓋部材を閉める方法が製造上便宜である。
【００４１】
このような薬剤保持体１を保護ケース４に収納した実施例１に即した実験結果を、以下のとおり説明する。
〔実験例１〕
【００４２】
上下両側に、撚糸状態のポリエステル繊維を用いて二次元のメッシュ状薬剤保持繊維２を編成し、当該両側間にポリエステル繊維からなる支持連結用薬剤保持繊維３（上下幅：３ｍｍ）を配置し、全体として上下方向の厚みが４．０ｍｍで、外形が４．０ｃｍの円盤状の薬剤保持体１を作製した。
【００４３】
薬剤保持体１は、ポリカーボネーと製の保護ケース４（外形５．０ｃｍ、厚さ８ｍｍ）に収納され、保護ケース４は、周囲の保持枠４１において略丸形の断面を採用した。
【００４４】
このような薬剤保持体１において、化合物Ｃ[４−メトキシメチル−２，３，５，６−テトラフルオロベンジル−２，２−ジメチル−３−（１−プロぺニル）シクロプロパンカルボキシレート]４０ｍｇをケロシンに溶解した薬液を、前記薬剤保持体１に保持させ、保護ケース４に収納後、１２００ｒｐｍの回転速度にて、１２０時間作動させた。
【００４５】
上記作動において、薬剤保持体１から薬剤が飛散することはなく、約１２０時間にわたり蚊の防除に有効であった。
〔実験例２〕
【００４６】
実験例１に準じ、各種薬剤保持体１とこれを各種保護ケース４に収納したうえで、１２００回転速度にて６畳の部屋で作動させ、開始直後、及び１２０時間後に、蚊成虫に対する殺虫効力を調べた。殺虫効力試験は、作動中の６畳の部屋でアカイエカ♀成虫約１００匹を放ち、２時間暴露させ蚊に対するノックダウン効力を調べ、ＫＴ50値を求めた。対照例として、支持連結用薬剤保持繊維３（表中、Ｍと略称）を編成せずメッシュ状薬剤保持繊維２(表中、上側をＦ、下側をＢと略称)のみで構成した薬剤保持体１(対照例１)、及びメッシュ状薬剤保持繊維２を別体で２枚併置した場合（対照例２；特開２００１−２００２３９号公報に準じた薬剤保持体）を採用した。
【００４７】
【表１】
2006081428.tif 000004
【００４８】
試験の結果、本発明による薬剤保持体１は、１２０時間の長期にわたり優れた殺虫効力を安定して保持することが判明した。薬剤保持体１としては、前記（６）に記載するような複数枚併置の場合には、薬剤揮散効果においても優れていることが認められた。
但し、前記複数枚併置の場合には、薬剤保持体１の厚さが増大する傾向にあることから、製造上、及び取扱上の便宜を考慮し、設計上の配慮を行うことが必要である。
【００４９】
一方、メッシュ状薬剤保持繊維２のみで構成した薬剤保持体１（対照例１）、及びメッシュ状薬剤保持繊維２を別体で２枚併置した場合（対照例２）は、本発明品に比し、薬剤保持性能並びに薬剤揮散機能ともに悪く、殺虫効力が明白に劣っていることが判明し、これによって、上下両側に配置されているメッシュ状薬剤保持繊維２＋上下両側の間に配置されている支持連結用薬剤保持繊維３の結合による薬剤揮散機能上の効果が存在することを確認することができる。
【実施例２】
【００５０】
実施例２は、薬剤保持体１を静置しファンの風力を利用して薬剤を揮散させる薬剤揮散装置に採用しているが、ファンの形状としては、図７に示すシロッコファン６や図８の軸流ファン７などが典型例として使用され、通常ファンに近接して薬剤保持体１が設置され、ファンが生起する気流にのって薬剤保持体１から薬剤が放散することになる。
【００５１】
このようなファン式薬剤揮散装置に薬剤保持体１を適用した実施例２に即した実験結果を、以下のとおり説明する。
〔実験例３〕
【００５２】
上下両側に、撚糸状態のポリエステル繊維を用いて二次元のメッシュ状薬剤保持繊維２を編成し、当該両側間にナイロン繊維からなる支持連結用薬剤保持繊維３（上下幅：２．５ｍｍ）を配置し、全体として、上下方向の厚みが３．５ｍｍで、外径が４．５ｃｍの円盤状の薬剤保持体１を作製した。
【００５３】
実験例１で用いた薬剤の替わりに、化合物Ａ[２，３，５，６−テトラフルオロベンジル−２，２−ジメチル−３−（２，２−ジクロロビニル）シクロプロパンカルボキシレート]７０ｍｇを保持させ、２４０時間用とした。
【００５４】
この薬剤保持体１を図７又は図８の薬剤揮散装置に設置し、１４００ｒｐｍの回転速度にて犬小屋内にて吊り下げ、１日あたり８時間作動させ、当該作動を約３０日間継続した。
【００５５】
このような作動の継続において、いずれの薬剤揮散装置も、蚊、ユスリカなどの害虫に対して安定した殺虫効力を発揮し、犬は害虫に悩まされることはなかった。
〔実験例４〕
【００５６】
実験例３に準じ、各種薬剤保持体１を図７及び図８の薬剤揮散装置に設置したうえで、１６００回転速度にて６畳の部屋で作動させ、実験例２と同様に、開始直後、及び１２０時間後に、蚊成虫に対する殺虫効力を調べた。対照例として、支持連結用薬剤保持繊維３（表中、Ｍと略称）を編成せずメッシュ状薬剤保持繊維２(表中、上側をＦ、下側をＢと略称)のみで構成した薬剤保持体１(対照例１)、メッシュ状薬剤保持繊維２を別体で２枚併置した場合（対照例２；特開２００１−２００２３９号公報に準じた薬剤保持体）、及び板状体の不織布を用いた場合（対照例３）を採用した。
【００５７】
【表２】
2006081428.tif 000005
【００５８】
試験の結果、本発明の薬剤保持体１によれば、薬剤保持体１が静置されるタイプの薬剤揮散装置に適用された場合でも、実験例２と同様、上下両側に配置されているメッシュ状薬剤保持繊維２＋上下両側の間に配置されている支持連結用薬剤保持繊維３の結合による薬剤揮散機能上の効果が存在することを確認することができる。
【産業上の利用可能性】
【００５９】
本発明の薬剤保持体は、薬剤を効率的に揮散、放出させるので、有効成分を適宜選択したうえで、例えば芳香、消臭、抗菌用途など、害虫防除以外の分野でも実用化が可能である。
【図面の簡単な説明】
【００６０】
【図１】本発明の薬剤保持体の基本構成を示しており、（ａ）は上側からの平面図であり、（ｂ）は当該平面図の特定位置における上下方向の断面図であり、（ｃ）は下側からの平面図である。
【図２】本発明において、上下両側の各メッシュの単位形状が相違している実施形態の構成を示しており、（ａ）は上側からの平面図であり、（ｂ）は当該平面図の特定位置における上下方向の断面図であり、（ｃ）は下側からの平面図である。
【図３】前記（３）の構成を示しており、（ａ）は平面図であり、（ｂ）は当該平面図の特定位置における上下方向の断面図である。
【図４】前記（４）の構成を示しており、（ａ）は平面図であり、（ｂ）は当該平面図の特定位置における上下方向の断面図である。
【図５】前記（５）の構成を示す断面図である（尚、支持連結用薬剤保持繊維としては、図３に示すような柱構造による支持連結用薬剤保持繊維の場合を示している。）。
【図６】薬剤保持体が収納される保護ケースにつき、薬剤保持体の上側に位置している蓋部分と薬剤保持体の下側に位置している薬剤保持体保持部分とに分解した斜視図である。
【図７】薬剤保持体がシロッコファンに近接して設置された場合の実施例における薬剤揮散装置の概略の分解斜視図である。
【図８】薬剤保持体が軸流ファンに近接して設置された場合の実施例における薬剤揮散装置の概略の分解斜視図である。
【図９】本発明の基本原理を示す断面図である（矢印は風の方向を示しており、斑点部分は風圧が生じた領域を模式的に示す。）。
【符号の説明】
【００６１】
１  薬剤保持体
２  メッシュ状薬剤保持繊維
３  支持連結用薬剤保持繊維
４  保護ケース
４１  保持枠
５  小隙間薬剤保持繊維
６  シロッコファン
７  軸流ファン
【図１】
2006081428.tif 000006
【図２】
2006081428.tif 000007
【図３】
2006081428.tif 000008
【図４】
2006081428.tif 000009
【図５】
2006081428.tif 000010
【図６】
2006081428.tif 000011
【図７】
2006081428.tif 000012
【図８】
2006081428.tif 000013
【図９】
2006081428.tif 000014